(57)【要約】【課題】  光を十分に照射可能な大きさの光照射装置を配設する空間の確保が困難な場合にも、十分な光の照射範囲を確保できるとともに、作業対象箇所にも焦点を合わせることができるライト付き電動工具を提供すること【解決手段】  先端工具を保持する出力部と、出力部を覆っているケースの外面に、作業対象箇所を照明する光照射装置を配している電動工具において、光照射装置内部の構成部品である一つの照射レンズに、作業対象箇所に焦点を合わせる凸形レンズと作業対象箇所周辺を広範囲に照射する凹レンズの2種以上の凹凸形状を設けた。【選択図】  図２
2008229802.tif 000002
【特許請求の範囲】
【請求項１】
先端工具を保持する出力部と、該出力部を覆っているケースの外面に、作業対象箇所を照明する光照射装置を配している電動工具において、該光照射装置内部の構成部品である一つの照射レンズに、作業対象箇所に焦点を合わせる凸形レンズと作業対象箇所周辺を広範囲に照射する凹レンズの2種以上の凹凸形状を設けたことを特徴とする電動工具。
【発明の詳細な説明】
【技術分野】
【０００１】
本発明は、作業対象箇所を照明する光照射装置を備えたライト付き電動工具に関するものである。
【背景技術】
【０００２】
暗所での作業を容易にするために、作業対象箇所を照明する光照射装置を備えている電動工具がある（特許文献１参照）。このような光照射装置は、特許文献１のような場所に設ける他に、先端工具先端付近を効率良く照らすために、電動工具における出力軸を保持している駆動部ケースの外周部に配置する場合がある。
【０００３】
【特許文献１】特開２００３−２１１３７４号公報
【発明の開示】
【発明が解決しようとする課題】
【０００４】
ライト付き電動工具においては、駆動部ケースの外周面に光照射装置を配設する場合、駆動部ケースとスイッチトリッガの間に配設される為、断面形状が小さく、光照射装置を配設する為の十分な空間の確保が困難な場合が多い。また、光を十分に照射可能な大きさの光照射装置を配設した場合、出力軸の軸芯とスイッチトリッガの進退方向の軸芯との距離が遠くなり電動工具本体の使い勝手が悪くなるというデメリットが発生する。
【０００５】
本発明は上記従来の問題点に鑑みて発明したものであって、光を十分に照射可能な大きさの光照射装置を配設する空間の確保が困難な場合にも、十分な光の照射範囲を確保できるとともに、作業対象箇所にも焦点を合わせることができるライト付き電動工具を提供することを課題とするものである。
【課題を解決するための手段】
【０００６】
上記課題を解決するために本発明は、出力部を覆っている駆動部ケースの外面に、作業対象箇所を照明する光照射装置を配しているライト付き電動工具において、上記光照射装置の構成部品である一つの照射レンズに作業対象箇所に光を集中させる凸形レンズと作業対象箇所周辺に広範囲に光を拡散させる凹レンズの２種以上の凹凸形状を設けていることに特徴を有している。
【発明の効果】
【０００７】
本発明は、上記光照射装置の構成部品である一つの照射レンズの凹凸形状を設けること
により、光照射装置の大きさの影響を受けず、かつ一つの光源から２種類のライトの照射
機能を実現することができる。
【発明を実施するための最良の形態】
【０００８】
本発明を添付図面に示す実施形態に基づいて説明すると、図１に示す電動工具は、モータ及び駆動機構を内蔵する本体部１と一体のグリップ部２の下端に電池パック３を着脱自在に装着した携帯型電動ドライバドリルであり、グリップ２の上端部にトリガースイッチ４と回転方向切換レバー５とを備えており、本体部１の前端にはドライバービット６を保持するチャック７を備えている。
【０００９】
本体部１及びグリップ部２は、左右二つ割りのハウジング１ａ，１ｂに、先端から突出する出力軸８がドライバドリル駆動機構を覆う駆動部ケース９と連結したものとして形成されている。
【００１０】
作業対象箇所の照明用であるライト１０は、駆動部ケース９の外周部に且つグリップ部２
の上端前方位置に取り付けられ、高輝度発光ダイオード１１、透明樹脂製で高輝度発光ダイオード１１を収納する収納凹部１２ａとレンズ部１２ｂを設けたダイオードホルダ１２とで構成されている。ライト１０の構成部品であるダイオードホルダ１２は、図１及び図3から明らかなように、駆動部ケース９に直接接触することはなく、ハウジング１ａ，１ｂに形成されている境界枠１ａ１、 １ｂ１によって空間を仕切られ、駆動部ケース９とトリガスイッチ４との間に前記ハウジング１ａ，１ｂによってダイオードホルダ１２を挟み込むような形態で固定されている。
【００１１】
また、図２に示すようにライト１０は斜め上を向いているため先端工具であるドライバービット６周辺を中心として照らすことができ、暗い場所で電動工具を使用する場合でも確実にねじ締め作業を行うことができる。
【００１２】
なお、ライト１０はトリガースイッチ４の操作とは連動せず、別途異なるスイッチで点灯するように構成されている。
【００１３】
図４に示すように、内部に高輝度発光ダイオード１１を収納する透明樹脂製のダイオードホルダ１２のレンズ部１２ｂ形状は、凸形の曲率をしたレンズ部１２ｃと凹形の曲率をしたレンズ部１２ｄの2種以上の凹凸形状から構成されており、高輝度発光ダイオード１１によって発光した光の方向を凸形の曲率レンズ部１２ｃの形状によって作業対象箇所に焦点を合わすように設定されている。また、凹形の曲率レンズ部１２ｄの形状によりにより作業対象箇所に焦点を合わせず光の向きを周辺広範囲に照射し、発光源一つで２つの光照射機能を得ることができる。
【００１４】
なお、図５に示すように、高輝度発光ダイオードの前方に凸型の曲率レンズ部１２ｃがあり、凸型の曲率レンズ部１２ｃの前面の中央に、凸型の曲率レンズ部１２ｃの半径より小さい半径を有する凹型レンズ部１２ｄを設けてある。従って、図６に示すように、凸型の曲率レンズ部１２ｃによる比較的広範囲を照射する光の照射範囲Ｄと、凹型レンズ部１２ｄによる比較的小範囲を照射する照射範囲Ｅの２つの光を照射することができる。
【００１５】
また、凸形の曲率レンズ部１２ｃ、凹形の曲率レンズ部１２ｂの曲率を変更することにより、光の集散領域を個々の製品の寸法に合わせ、設定することで製品固有の照射機能を満足することが可能となる。そのため、光照射装置の大きさを十分とれなくとも凸形曲率レンズ部12cおよび凹形曲率レンズ部１２ｄの曲率を変更することで必要なライトの照射量を実現することができる。
【図面の簡単な説明】
【００１６】
【図１】実施例１の光照射装置を配しているライト付き電動工具の正面図
【図２】実施例１の光照射装置を配しているライト付き電動工具の側面図
【図３】図１の一部断面図
【図４】図１のＡ部拡大図
【図５】図３のＢ方向の矢視図で、ダイオードホルダの詳細図
【図６】図４のＣ−Ｃ断面図
【図７】高輝度発光ダイオード点灯時、凸形曲率レンズ部の光の照射範囲Ｄ凹形曲率レンズ部の光の照射範囲Ｅ
【符号の説明】
【００１７】
１は本体部、１ａ、１ｂは左右二つ割りハウジング、１ａ１、１ｂ１は境界枠、２はグリップ、３は電池パック、４はトリガースイッチ、５は回転方向切換レバー、６はドライバービット、７はチャック、８は出力軸、９は駆動部ケース、１０はライト、１１は高輝度発光ダイオード、１２はダイオードホルダ、１２ａは収納凹部、１２ｂはレンズ部、１２ｃは凸形の曲率をしたレンズ部、１２ｄは凹形の曲率をしたレンズ部である。
【図１】
2008229802.tif 000003
【図２】
2008229802.tif 000004
【図３】
2008229802.tif 000005
【図４】
2008229802.tif 000006
【図５】
2008229802.tif 000007
【図６】
2008229802.tif 000008
【図７】
2008229802.tif 000009